(57)【要約】【課題】  時計を種々の方向から見たとき、時計の中央部及び外側部の見え方に様々な変化をつけることができるように構成した新規な時計用カバーガラスを提供する。【解決手段】  本発明の時計用カバーガラス１３０は、複数の斜面部を含む表面と、平らな裏面１００Ｂとを有する。複数の斜面部は、カバーガラスの中央部に近い位置にそれぞれ配置された複数の中央斜面部１０１〜１０４と、中央斜面部の外側の位置にそれぞれ配置された複数の外側斜面部１０５〜１１４とを含む。外側斜面部１０５〜１１４が裏面に対してなす角度は、それぞれ、中央斜面部１０１〜１０４の裏面に対してなす角度より大きくなるように構成される。中央斜面部１０１〜１０４は、それぞれの輪郭形状が六角形である４つの六角形斜面部を含む。さらに、本発明は、上記時計用カバーガラスの製造方法を提供する。【選択図】      図１
2007010506.tif 000002
【特許請求の範囲】
【請求項１】
時計用カバーガラスにおいて、
複数の斜面部を含む表面と、平らな裏面とを有し、
前記複数の斜面部は、カバーガラスの中央部に近い位置にそれぞれ配置された複数の中央斜面部と、前記複数の中央斜面部の外側の位置にそれぞれ配置された複数の外側斜面部とを含み、
前記複数の外側斜面部が前記裏面に対してなす角度は、それぞれ、前記中央斜面部の前記裏面に対してなす角度より大きくなるように構成され、
前記複数の中央斜面部は、それぞれの輪郭形状が六角形である４つの六角形斜面部を含む、
ことを特徴とする時計用カバーガラス。
【請求項２】
前記４つの六角形斜面部は、第１の六角形斜面部、第２の六角形斜面部、第３の六角形斜面部及び第４の六角形斜面部で構成され、前記第１の六角形斜面部及び前記第２の六角形斜面部は、それぞれ１つの辺が重なるように構成され、かつ、前記重なっている辺は、前記裏面に平行であって前記カバーガラスの中心を通る直線上に配置され、前記第３の六角形斜面部は、その１つの辺が、前記第１の六角形斜面部の１つの辺と重なり、かつ、他の１つの辺が、前記第２の六角形斜面部の１つの辺と重なるように構成され、前記第４の六角形斜面部は、その１つの辺が、前記第１の六角形斜面部の他の１つの辺と重なり、かつ、他の１つの辺が、前記第２の六角形斜面部の他の１つの辺と重なるように構成されることを特徴とする、請求項１に記載の時計用カバーガラス。
【請求項３】
前記第１の六角形斜面部及び前記第２の六角形斜面部は、前記裏面に対して２．５度から７度の角度をなすように形成され、前記第３の六角形斜面部及び前記第４の六角形斜面部は、前記裏面に対して５．５度から１２．５度の角度をなすように形成されることを特徴とする、請求項２のいずれか１項に記載の時計用カバーガラス。
【請求項４】
前記複数の外側斜面部のうちの少なくとも一部は、前記裏面に対して７．５度から１８．５度の角度をなすように形成されることを特徴とする、請求項２に記載の時計用カバーガラス。
【請求項５】
前記複数の外側斜面部のうちの少なくとも一部は、前記裏面に対して１７度から３１度の角度をなすように形成されることを特徴とする、請求項２に記載の時計用カバーガラス。
【請求項６】
前記カバーガラスの表面に設けた複数の斜面部のうちの少なくとも一部に対応するように形成されたマーキングを裏面に有することを特徴とする、請求項１から５のいずれか１項に記載の時計用カバーガラス。
【請求項７】
表面及び裏面を有する時計用カバーガラスの製造方法において、
それぞれの輪郭形状が六角形である４つの六角形斜面部からなる中央斜面部を、カバーガラスの中央部に近い位置にそれぞれ配置するように、前記カバーガラスの表面に形成する工程と、
前記複数の中央斜面部の外側の位置にそれぞれ配置された複数の外側斜面部を、前記カバーガラスの表面に形成する工程とを含み、
前記複数の外側斜面部が前記カバーガラスの裏面に対してなす角度は、それぞれ、前記中央斜面部の前記裏面に対してなす角度より大きくなるように構成される、
ことを特徴とする製造方法。
【請求項８】
請求項７に記載の方法において、前記４つの六角形斜面部は、第１の六角形斜面部、第２の六角形斜面部、第３の六角形斜面部及び第４の六角形斜面部で構成され、前記第１の六角形斜面部及び前記第２の六角形斜面部は、それぞれ１つの辺が重なるように構成され、かつ、前記重なっている辺は、前記裏面に平行であって前記カバーガラスの中心を通る直線上に配置され、前記第３の六角形斜面部は、その１つの辺が、前記第１の六角形斜面部の１つの辺と重なり、かつ、他の１つの辺が、前記第２の六角形斜面部の１つの辺と重なるように構成され、前記第４の六角形斜面部は、その１つの辺が、前記第１の六角形斜面部の他の１つの辺と重なり、かつ、他の１つの辺が、前記第２の六角形斜面部の他の１つの辺と重なるように構成されることを特徴とする製造方法。
【請求項９】
請求項７又は８に記載の方法において、さらに、前記カバーガラスの表面に設けた複数の斜面部のうちの少なくとも一部に対応するように、前記カバーガラスの裏面にマーキングを形成する工程を含むことを特徴とする製造方法。
【発明の詳細な説明】
【技術分野】
【０００１】
本発明は、表側に複数の斜面部を形成した時計用カバーガラスに関するものである。特に、本発明は、裏面が平らであって、表面の中央部に複数の中央斜面部を配置し、前記中央斜面部の斜面角度より大きい斜面角度をもつ外側斜面部を、前記複数の中央斜面部の外側に配置した時計用カバーガラスに関する。さらに、本発明は、表側に複数の面を形成した時計用カバーガラスの製造方法に関する。さらに、本発明は、表側に複数の面を形成し、かつ、裏面にマーキングを有する時計用カバーガラスの製造方法に関する。本発明は、腕時計、置き時計、掛け時計、提げ時計などの各種の時計のカバーガラスに適用することができる。
【背景技術】
【０００２】
従来の多面体のカバーガラスを有した腕時計では、カバーガラスは、頂面部と、４つの斜面部からなりたっている。例えば、頂面部は四角形（正方形、菱形を含む）、六角形、十二角形などである。さらに、周辺の斜面部は、連続的に多面体を形成することも可能であると記載されている（例えば、特許文献１参照）。また、従来の腕時計用カバーガラスの製造方法として、ガラス熱間プレスでガラス表面に凹凸形状を成形加工した後、着色ガラス側面凸部を研削除去し、ベースとなる透明なガラス面と共に整厚した上下面を鏡面研磨する方法が知られている（例えば、特許文献２参照）。また、従来の時計用サファイアカバーガラスへのマーキング方法として、基体マーキング面に金属薄膜を形成し、レーザー照射機を用いて金属薄膜面マーキング部分にレーザー光線の集光した熱エネルギーによりマーキング部分の金属薄膜を溶解して基体表層部表面に微細な凹凸の刻印処理を行い、その後金属薄膜を全て除去する方法が知られている（例えば、特許文献３参照）。
【０００３】
【特許文献１】実開昭５５−８９号公報（第２〜３頁、第１図〜第４図）
【特許文献２】特開平９−２１８２７７号公報（第２〜３頁、図１〜図７）
【特許文献３】特開平７−６０４６４号公報（第２〜３頁、図１〜図２）
【発明の開示】
【発明が解決しようとする課題】
【０００４】
しかし、特許文献１に開示されている従来の多面体のカバーガラスは、中央部にテーブル面（裏面と平行な表面の部分）があり、腕時計を種々の方向から見たときにおいて、腕時計の中央部分の見え方に変化をつけることができなかった。また、特許文献２に開示されている従来の腕時計用カバーガラスの製造方法は、単に、ガラス熱間プレス加工後、着色ガラス側面凸部を研削除去し、上下面を鏡面研磨する方法を開示しているだけで、この方法では、複雑な形状を有する多面体のカバーガラスを製造することはできなかった。また、特許文献３に開示されている従来のマーキング方法は、単に、基体表層部表面に微細な凹凸の刻印処理を行うことを開示しているだけである。基体表層部表面に微細な凹凸の刻印処理を行うことを開示しているだけで、この特許文献３には、複雑な形状を有する多面体のカバーガラスに適合するマーキングの製造方法は開示されていなかった。
【０００５】
本発明の目的は、時計用カバーガラスの表面において、中央部に複数の中央斜面部を配置し、前記中央斜面部の斜面角度より大きい斜面角度をもつ外側斜面部を、前記複数の前記中央斜面部の外側に配置することによって、時計を種々の方向から見たときにおいて、時計の中央部及び外側部の見え方に様々な変化をつけることができるように構成した新規な時計用カバーガラスを提供することにある。また、本発明の他の目的は、時計用カバーガラスの表面に設けた複数の斜面部に対応するようにマーキングを時計用カバーガラスの裏面に設けることによって、マーキングの見え方に変化をつけることができるように構成した新規な時計用カバーガラスを提供することにある。さらに、本発明の他の目的は、中央部に複数の中央斜面部を配置し、前記中央斜面部の斜面角度より大きい斜面角度をもつ外側斜面部を、前記複数の前記中央斜面部の外側に配置するように構成した時計用カバーガラスを製造する方法を提供することにある。さらに、本発明の他の目的は、時計用カバーガラスの表面に設けた複数の斜面部に対応するように形成されたマーキングを裏面に有する時計用カバーガラスを製造する方法を提供することにある。
【課題を解決するための手段】
【０００６】
本発明は、時計用カバーガラスにおいて、複数の斜面部を含む表面と、平らな裏面とを有し、前記複数の斜面部は、カバーガラスの中央部に近い位置にそれぞれ配置された複数の中央斜面部と、前記複数の中央斜面部の外側の位置にそれぞれ配置された複数の外側斜面部とを含み、前記複数の外側斜面部が前記裏面に対してなす角度は、それぞれ、前記中央斜面部の前記裏面に対してなす角度より大きくなるように構成され、前記複数の中央斜面部は、それぞれの輪郭形状が六角形である４つの六角形斜面部を含む。
【０００７】
上記の時計用カバーガラスでは、前記４つの六角形斜面部は、第１の六角形斜面部、第２の六角形斜面部、第３の六角形斜面部及び第４の六角形斜面部で構成され、前記第１の六角形斜面部及び前記第２の六角形斜面部は、それぞれ１つの辺が重なるように構成され、かつ、前記重なっている辺は、前記裏面に平行であって前記カバーガラスの中心を通る直線上に配置され、前記第３の六角形斜面部は、その１つの辺が、前記第１の六角形斜面部の１つの辺と重なり、かつ、他の１つの辺が、前記第２の六角形斜面部の１つの辺と重なるように構成され、前記第４の六角形斜面部は、その１つの辺が、前記第１の六角形斜面部の他の１つの辺と重なり、かつ、他の１つの辺が、前記第２の六角形斜面部の他の１つの辺と重なるように構成されるのがよい。この構成により、前記複数の中央斜面部のプリズム効果によって、腕時計を種々の方向から見たときに、腕時計の中央部及び外側部の見え方に様々な変化をつけることができる。したがって、本発明により、新規で独創的な外観を有する時計用カバーガラスを実現することができる。
【０００８】
また、上記の時計用カバーガラスでは、前記第１の六角形斜面部及び前記第２の六角形斜面部は、前記裏面に対して２．５度から７度の角度をなすように形成され、前記第３の六角形斜面部及び前記第４の六角形斜面部は、前記裏面に対して５．５度から１２．５度の角度をなすように形成されるのが好ましい。また、上記の時計用カバーガラスでは、前記複数の外側斜面部のうちの少なくとも一部は、前記裏面に対して７．５度から１８．５度の角度をなすように形成されるのが好ましい。また、上記の時計用カバーガラスでは、前記複数の外側斜面部のうちの少なくとも一部は、前記裏面に対して１７度から３１度の角度をなすように形成されるのが好ましい。また、上記の時計用カバーガラスでは、前記カバーガラスの表面に設けた複数の斜面部のうちの少なくとも一部に対応するように形成されたマーキングを裏面に有することができる。
【０００９】
さらに、本発明は、表面及び裏面を有する時計用カバーガラスの製造方法において、それぞれの輪郭形状が六角形である４つの六角形斜面部からなる中央斜面部を、カバーガラスの中央部に近い位置にそれぞれ配置するように、前記カバーガラスの表面に形成する工程と、前記複数の中央斜面部の外側の位置にそれぞれ配置された複数の外側斜面部を、前記カバーガラスの表面に形成する工程とを含み、前記複数の外側斜面部が前記カバーガラスの裏面に対してなす角度は、それぞれ、前記中央斜面部の前記裏面に対してなす角度より大きくなるように構成されることを特徴とする。
【００１０】
上記の時計用カバーガラスの製造方法においては、前記４つの六角形斜面部は、第１の六角形斜面部、第２の六角形斜面部、第３の六角形斜面部及び第４の六角形斜面部で構成され、前記第１の六角形斜面部及び前記第２の六角形斜面部は、それぞれ１つの辺が重なるように構成され、かつ、前記重なっている辺は、前記裏面に平行であって前記カバーガラスの中心を通る直線上に配置され、前記第３の六角形斜面部は、その１つの辺が、前記第１の六角形斜面部の１つの辺と重なり、かつ、他の１つの辺が、前記第２の六角形斜面部の１つの辺と重なるように構成され、前記第４の六角形斜面部は、その１つの辺が、前記第１の六角形斜面部の他の１つの辺と重なり、かつ、他の１つの辺が、前記第２の六角形斜面部の他の１つの辺と重なるように構成されるのが好ましい。この方法により、前記複数の中央斜面部のプリズム効果によって、腕時計を種々の方向から見たときに、腕時計の中央部及び外側部の見え方に様々な変化をつけることができるように構成された時計用カバーガラスを製造することができる。したがって、本発明の方法により、新規で独創的な外観を有する時計用カバーガラスを製造することができる。
【００１１】
また、上記の時計用カバーガラスの製造方法においては、前記カバーガラスの表面に設けた複数の斜面部のうちの少なくとも一部に対応するように、前記カバーガラスの裏面にマーキングを形成する工程を追加することができる。この時計用カバーガラスの製造方法を用いることにより、マーキングを裏面に有する時計用カバーガラスを、高い加工精度で、かつ、効率的に製造することができる。
【発明の効果】
【００１２】
本発明の時計用カバーガラスは、表面の中央部に複数の中央斜面部を配置し、前記中央斜面部の斜面角度より大きい斜面角度をもつ外側斜面部を、前記複数の前記中央斜面部の外側に配置するように構成しているので、前記複数の中央斜面部のプリズム効果によって、腕時計を種々の方向から見たときに、腕時計の中央部及び外側部の見え方に様々な変化をつけることができる。したがって、本発明により、新規で独創的な外観を有する時計用カバーガラスを実現することができる。また、本発明の時計用カバーガラスは、表面に設けた複数の斜面部に対応するようにマーキングを裏面に設けており、腕時計を種々の方向から見たときにおいて、時計用カバーガラスの見え方に変化をつけることができる。すなわち、本発明の時計用カバーガラスは、カバーガラスの六角形の平面形状を立体的にした事により、明るくて、かつ、目にやさしいイメージを与えることができる（Ｚ軸方向、すなわち、カバーガラスの裏面（表面）に対して垂直な方向におけるカバーガラスの立体形状を強調することができる）という独特な効果がある。したがって、本発明により、極めて独創的な外観を有する時計用カバーガラスを実現することができる。
【００１３】
さらに、本発明の時計用カバーガラスの製造方法を用いることにより、中央部に複数の中央斜面部を配置し、前記中央斜面部の斜面角度より大きい斜面角度をもつ外側斜面部を、前記複数の前記中央斜面部の外側に配置した時計用カバーガラスを、高い加工精度で、かつ、効率的に製造することができる。さらに、本発明の時計用カバーガラスの製造方法を用いることにより、時計用カバーガラスの表面に設けた複数の斜面部に対応するように形成されたマーキングを裏面に有する時計用カバーガラスを、高い加工精度で、かつ、効率的に製造することができる。
【発明を実施するための最良の形態】
【００１４】
以下に、本発明の実施の形態を図面に基づいて説明する。
（１）本発明の時計用カバーガラスの第１の実施の形態：
最初に、本発明の時計用カバーガラスの第１の実施の形態について説明する。図１および図２を参照すると、本発明の時計用カバーガラスの第１の実施の形態において、カバーガラス１３０は、複数の斜面部１０１〜１１８を含む表面と、平らな裏面１００Ｂとを有している。カバーガラス１３０は、硬質ガラスで形成することもできるし、サファイアで形成することもできるし、アクリルなどの樹脂で形成することもできる。
【００１５】
カバーガラス１３０の中心を中心１００Ｃと定義する。裏面１００Ｂに平行であってカバーガラス１３０の中心１３０Ｃを通る水平な直線を直線（Ｘ−Ｘ’）と定義する。裏面１００Ｂに平行であってカバーガラス１３０の中心１３０Ｃを通る垂直な直線（Ｙ−Ｙ’）と定義する。裏面１００Ｂに平行であってカバーガラス１３０の中心１３０Ｃを通り、直線（Ｘ−Ｘ’）に対して４５度の角度をなし、Ｘ方向に対して時計回り方向に４５度（すなわち、−４５度）回転した方向をＡ方向とする直線を直線（Ａ−Ａ’）と定義する。裏面１００Ｂに平行であってカバーガラス１３０の中心１３０Ｃを通り、直線（Ｘ−Ｘ’）に対して４５度の角度をなし、Ｘ方向に対して反時計回り方向に４５度（すなわち、＋４５度）回転した方向をＢ方向とする直線を直線（Ｂ−Ｂ’）と定義する。裏面１００Ｂに平行であってカバーガラス１３０の中心１３０Ｃを通り、直線（Ｙ−Ｙ’）に対して１５度の角度をなし、Ｙ方向に対して反時計回り方向に１５度（すなわち、＋１５度）回転した方向をＣ方向とする直線を直線（Ｃ−Ｃ’）と定義する。
【００１６】
裏面１００Ｂに平行であってカバーガラス１３０の中心１３０Ｃを通り、直線（Ｙ−Ｙ’）に対して１５度の角度をなし、Ｙ方向に対して時計回り方向に１５度（すなわち、−１５度）回転した方向をＤ方向とする直線を直線（Ｄ−Ｄ’）と定義する。裏面１００Ｂに平行であってカバーガラス１３０の中心１３０Ｃを通り、直線（Ｘ−Ｘ’）に対して２２．５度の角度をなし、Ｘ方向に対して反時計回り方向に２２．５度（すなわち、＋２２．５度）回転した方向をＥ方向とする直線を直線（Ｅ−Ｅ’）と定義する。裏面１００Ｂに平行であってカバーガラス１３０の中心１３０Ｃを通り、直線（Ｘ−Ｘ’）に対して２２．５度の角度をなし、Ｘ方向に対して時計回り方向に２２．５度（すなわち、−２２．５度）回転した方向をＦ方向とする直線を直線（Ｆ−Ｆ’）と定義する。
【００１７】
カバーガラス１３０は中心１００Ｃを中心として、輪郭形状が円形であるように構成される。或いは、本発明のカバーガラス１３０の輪郭形状は、四角形（正方形、長方形を含む）であってもよいし、菱形であってもよいし、長円形であってもよい。また、或いは、本発明のカバーガラス１３０の輪郭形状は、他の多角形（六角形、八角形など）であってもよいし、複数の直線で構成された形状であってもよいし、複数の曲線で構成された形状であってもよいし、複数の直線及び複数の曲線を含むように構成された形状であってもよい。
【００１８】
カバーガラス１３０において、前記複数の斜面部は、カバーガラス１３０の中心１００Ｃに近い領域、すなわち、カバーガラス１３０の中央部に近い位置にそれぞれ配置された複数の（４個の）中央斜面部１０１〜１０４と、前記複数の中央斜面部の外側の位置にそれぞれ配置された複数の外側斜面部１０５〜１１４とを含むように構成される。さらに、図１に示すように、カバーガラス１３０の外周部に近い領域にそれぞれ配置された複数の最外周斜面部１１５〜１１８を含むように構成することができる。或いは、最外周斜面部１１５〜１１８を形成しないように構成してもよい。外側斜面部１０５〜１１４の裏面１００Ｂに対してなす角度は、それぞれ、中央斜面部１０１〜１０４の裏面１００Ｂに対してなす角度より大きくなるように構成される。
【００１９】
中央斜面部１０１〜１０４は、それぞれの輪郭形状が六角形である４つの六角形斜面で構成される。或いは、中央斜面部１０１〜１０４は、それぞれの輪郭形状が六角形である２つの六角形斜面部と、輪郭形状が五角形である２つの五角形斜面部で構成することもできる。前記４つの六角形斜面部は、第１の六角形斜面部１０１と、第２の六角形斜面部１０２と、第３の六角形斜面部１０３と、第４の六角形斜面部１０４とで構成される。第１の六角形斜面部１０１、及び、第２の六角形斜面部１０２は、それぞれ１つの辺が重なるように配置される。前記重なっている辺は、裏面１００Ｂに平行であってカバーガラス１３０の中心１３０Ｃを通る直線（Ｙ−Ｙ’）上に配置される。第３の六角形斜面部１０３は、その１つの辺が、第１の六角形斜面部１０１の１つの辺と重なり、かつ、他の１つの辺が、第２の六角形斜面部１０２の１つの辺と重なるように配置される。第４の六角形斜面部１０４は、その１つの辺が、第１の六角形斜面部１０１の他の１つの辺と重なり、かつ、他の１つの辺が、第２の六角形斜面部１０２の他の１つの辺と重なるように構成される。
【００２０】
第１の六角形斜面部１０１、及び、第２の六角形斜面部１０２は、裏面１００Ｂに対して２．５度から７度の角度をなすように形成されるのが好ましい。このように構成することにより、時計を種々の方向から見たときにおいて、時計の中央部及び外側部の見え方に様々な変化をつけることができる。第１の六角形斜面部１０１、及び、第２の六角形斜面部１０２は、裏面１００Ｂに対して５度の角度をなすように形成されるのが特に好ましい。このように構成することにより、特に見栄えがよい時計を実現することができる。第３の六角形斜面部１０３、及び、第４の六角形斜面部１０４は、裏面１００Ｂに対して５．５度から１２．５度の角度をなすように形成されるのが好ましい。このように構成することにより、時計を種々の方向から見たときにおいて、時計の中央部及び外側部の見え方に様々な変化をつけることができる。第３の六角形斜面部１０３、及び、第４の六角形斜面部１０４は、裏面１００Ｂに対して９度の角度をなすように形成されるのが特に好ましい。このように構成することにより、特に見栄えがよい時計を実現することができる。
【００２１】
外側斜面部のうちの一部、すなわち、外側斜面部は１０５〜１１０は、裏面に対して７．５度から１８．５度の角度をなすように形成されるのが好ましい。このように構成することにより、時計を種々の方向から見たときにおいて、時計の中央部及び外側部の見え方に様々な変化をつけることができる。外側斜面部は１０５〜１１０は、裏面に対して１２．５度の角度をなすように形成されるのが特に好ましい。このように構成することにより、特に見栄えがよい腕時計を実現することができる。外側斜面部のうちの他の一部、すなわち、外側斜面部は１１１〜１１４は、裏面に対して１７度から３１度の角度をなすように形成されるのが好ましい。
【００２２】
このように構成することにより、時計を種々の方向から見たときにおいて、時計の中央部及び外側部の見え方に様々な変化をつけることができる。外側斜面部は１１１〜１１４は、裏面に対して２０度の角度をなすように形成されるのが特に好ましい。このように構成することにより、特に見栄えがよい時計を実現することができる。最外周斜面部１１５〜１１８は、裏面に対して１７度から３１度の角度をなすように形成されるのが好ましい。このように構成することにより、時計を種々の方向から見たときにおいて、時計の中央部及び外側部の見え方に様々な変化をつけることができる。最外周斜面部１１５〜１１８は、裏面に対して２０度の角度をなすように形成されるのが特に好ましい。このように構成することにより、特に見栄えがよい時計を実現することができる。
【００２３】
本発明の時計用カバーガラスを時計本体に取付けるとき、Ｘ方向を時計の３時方向とし、Ｙ’方向を時計の６時方向とし、Ｘ’方向を時計の９時方向とし、Ｙ方向を時計の１２時方向とすることができる。或いは、本発明の時計用カバーガラスを時計本体に取付けるとき、Ｘ方向を時計の１２時方向とし、Ｙ’方向を時計の３時方向とし、Ｘ’方向を時計の６時方向とし、Ｙ方向を時計の９時方向とすることができる。また、或いは、他の向きで、本発明の時計用カバーガラスを時計本体に取付けることもできる。
【００２４】
（２）第２の実施の形態：
次に、本発明の時計用カバーガラスの第２の実施の形態を説明する。以下の説明は、本発明の時計用カバーガラスの第２の実施形態が本発明の時計用カバーガラスの第１の実施形態と異なる点を主に述べる。したがって、以下に記載がない個所は、前述した本発明の時計用カバーガラスの第１の実施形態についての説明をここに準用する。
【００２５】
図３および図４を参照すると、本発明の時計用カバーガラスの第２の実施の形態において、カバーガラス２３０は、その表面に設けた複数の斜面部のうちの少なくとも一部に対応するように形成されたマーキングを裏面に有することを特徴とする。カバーガラス２３０は、複数の斜面部２０１〜２１８を含む表面と、平らな裏面２３０Ｂとを有している。斜面部２０３に対応する裏面２３０Ｂの部分に文字「ガ」が形成され、斜面部２０１に対応する裏面２３０Ｂの部分に文字「ラ」が形成され、斜面部２０３に対応する裏面２３０Ｂの部分に文字「ス」が形成される。この構成では、複数の斜面部に対応する領域の文字、図形、模様などのマーキングを設けることにより、商標、商号、キャッチフレーズ、略号などを表示することができる。本発明の時計用カバーガラスは複数の六角形斜面部を含んでいるので、例えば、上記マーキングの具体例として、サッカーに関連する国際機関、サッカーに関連する国内団体などの名称・略称・愛称・マーク・キャッチフレーズなどをあげることができる。さらに、上記マーキングの他の具体例として、多くの種類のスポーツを統括している国際機関や国内団体の名称・略称・愛称・マーク・キャッチフレーズや、スポーツ用品・スポーツウェアなどを販売している会社の商標・商号・キャッチフレーズなどをあげることができる。さらに、上記マーキングの他の具体例として、映画・ＴＶ映画・アニメ・漫画・ゲームなどに登場する各種キャラクター（登場人物、動物、植物など）の絵（図柄）・名称・略称・愛称・マークなどをあげることができる。
【００２６】
或いは、斜面部２０４に対応する裏面２３０Ｂの部分に文字「ガラス」が形成される。この構成では、１個の斜面部に対応する領域の文字、図形、模様などのマーキングを設けることにより、商標、商号、キャッチフレーズ、略号などを表示することができる。或いは、斜面部２０８に対応する裏面２３０Ｂの部分に「星形の図形」が形成される。この構成では、１個又は複数の斜面部に対応する領域の図形などのマーキングを設けることにより、商標、模様などを表示することができる。裏面２３０Ｂの部分に設けられる文字、図形、模様等は、印刷、エッチング、金の蒸着、ロジウムの蒸着などの方法によって形成することができる。
【００２７】
（３）本発明の時計用カバーガラスの製造方法：
次に、本発明の時計用カバーガラスの製造方法を説明する。図５を参照すると、本発明のカバーガラスの加工前のガラス部材１００は、平らな表面１００Ｔと、平らな裏面１００Ｂと、側面１００Ｓとを有している。カバーガラス１３０は、硬質ガラスで形成することができる。ガラス部材１００は中心１００Ｃを中心として、輪郭形状が円形であるように形成される。ガラス部材１００としては、負のアールの大きいものは不適当である。ガラス部材１００の材質として、例えば、ＢＫ−７や、光学硝子系を用いることができる。
【００２８】
以下の説明では、それぞれの工程で加工されて形成される輪郭を太い実線で示している。また、以下の説明では、それぞれの工程で加工される斜面部は研磨加工によって形成することができる。図６〜図８を参照すると、直線Ｙ−Ｙ’を対称軸として、ガラス部材１００のＸ軸方向（図６において右側）およびＸ’軸方向（図６において左側）に、直線Ｙ−Ｙ’に向かう方が高くなるように２つの斜面部１０１、１０２を形成する。斜面部１０１が裏面１００Ｂと平行な平面に対してなす角度Ｄ１０１は２．５度から７度であるのが好ましい。角度Ｄ１０１は５度であるのが特に好ましい。斜面部１０２が裏面１００Ｂと平行な平面に対してなす角度Ｄ１０２は２．５度から７度であるのが好ましい。角度Ｄ１０２は５度であるのが特に好ましい。角度Ｄ１０１と角度Ｄ１０２は等しい角度であるのが特に好ましい。
【００２９】
次に、図９〜図１２を参照すると、直線Ｘ−Ｘ’を対称軸として、ガラス部材１００のＹ軸方向（図９において上側）の一部およびＹ’軸方向（図９において下側）の一部に、直線Ｘ−Ｘ’に向かう方が高くなるように２つの斜面部１０３、１０４を形成する。この工程では、中心１００Ｃに近い直線Ｙ−Ｙ’上の部分に、六角形の一辺を構成する部分（いわゆる尾根部）が残るように加工する。斜面部１０３が裏面１００Ｂと平行な平面に対してなす角度Ｄ１０３は５．５度から１２．５度であるのが好ましい。角度Ｄ１０３は９度であるのが特に好ましい。斜面部１０４が裏面１００Ｂと平行な平面に対してなす角度Ｄ１０４は５．５度から１２．５度であるのが好ましい。角度Ｄ１０４は９度であるのが特に好ましい。角度Ｄ１０３と角度Ｄ１０４は等しい角度であるのが特に好ましい。
【００３０】
次に、図１３〜図１７を参照する。図１５に示すように、直線Ａ−Ａ’で切断したときの断面図における斜面の角度が、中心１００Ｃに向かう方が高くなるように２つの外側の斜面部１０６、１０８を形成する。また、図１６に示すように、直線Ｂ−Ｂ’で切断したときの断面図における斜面の角度が、中心１００Ｃに向かう方が高くなるように２つの外側の斜面部１０５、１０７を形成する。この工程では、斜面部１０３と斜面部１０２の交叉する部分で中心１００Ｃに近い部分に、六角形の一辺を構成する部分（いわゆる尾根部）が残るように加工する。この工程では、斜面部１０３と斜面部１０１の交叉する部分で中心１００Ｃに近い部分に、六角形の一辺を構成する部分（いわゆる尾根部）が残るように加工する。この工程では、斜面部１０１と斜面部１０４の交叉する部分で中心１００Ｃに近い部分に、六角形の一辺を構成する部分（いわゆる尾根部）が残るように加工する。この工程では、斜面部１０４と斜面部１０１の交叉する部分で中心１００Ｃに近い部分に、六角形の一辺を構成する部分（いわゆる尾根部）が残るように加工する。
【００３１】
斜面部１０５が裏面１００Ｂと平行な平面に対してなす角度Ｄ１０５は７．５度から１８．５度であるのが好ましい。角度Ｄ１０５は１２．５度であるのが特に好ましい。斜面部１０６が裏面１００Ｂと平行な平面に対してなす角度Ｄ１０６は７．５度から１８．５度であるのが好ましい。角度Ｄ１０６は１２．５度であるのが特に好ましい。斜面部１０７が裏面１００Ｂと平行な平面に対してなす角度Ｄ１０７は７．５度から１８．５度であるのが好ましい。角度Ｄ１０７は１２．５度であるのが特に好ましい。斜面部１０８が裏面１００Ｂと平行な平面に対してなす角度Ｄ１０８は７．５度から１８．５度であるのが好ましい。角度Ｄ１０８は１２．５度であるのが特に好ましい。角度Ｄ１０５、角度Ｄ１０６、角度Ｄ１０７、角度Ｄ１０８は等しい角度であるのが特に好ましい。
【００３２】
次に、図１８〜図２０を参照する。図１９に示すように、直線Ｘ−Ｘ’で切断したときの断面図における斜面の角度が、中心１００Ｃに向かう方が高くなるように２つの外側の斜面部１０９、１１０を形成する。この工程では、斜面部１０２と斜面部１０５の交叉する部分で中心１００Ｃに近い部分に、六角形の一辺を構成する部分（いわゆる尾根部）が残るように加工する。この工程では、斜面部１０２と斜面部１０６の交叉する部分で中心１００Ｃに近い部分に、六角形の一辺を構成する部分（いわゆる尾根部）が残るように加工する。この工程では、斜面部１０１と斜面部１０８の交叉する部分で中心１００Ｃに近い部分に、六角形の一辺を構成する部分（いわゆる尾根部）が残るように加工する。この工程では、斜面部１０１と斜面部１０７の交叉する部分で中心１００Ｃに近い部分に、六角形の一辺を構成する部分（いわゆる尾根部）が残るように加工する。この工程によって、２つの六角形の斜面部１０１、１０２を形成することができる。第１の六角形斜面部１０１、第２の六角形斜面部１０２は、それぞれ１つの辺が重なるように構成される。前記重なっている辺は、裏面１００Ｂに平行であって直線Ｙ−Ｙ’上に配置される。
【００３３】
斜面部１０９が裏面１００Ｂと平行な平面に対してなす角度Ｄ１０９は７．５度から１８．５度であるのが好ましい。角度Ｄ１０９は１２．５度であるのが特に好ましい。斜面部１１０が裏面１００Ｂと平行な平面に対してなす角度Ｄ１１０は７．５度から１８．５度であるのが好ましい。角度Ｄ１１０は１２．５度であるのが特に好ましい。角度Ｄ１０９と角度Ｄ１１０は等しい角度であるのが特に好ましい。
【００３４】
次に、図２１〜図２３を参照する。図２２に示すように、直線Ｃ−Ｃ’で切断したときの断面図における斜面の角度が、中心１００Ｃに向かう方が高くなるように２つの外側の斜面部１１１、１１２を形成する。この工程では、斜面部１０３と斜面部１０８の交叉する部分で中心１００Ｃに近い部分に、六角形の一辺を構成する部分（いわゆる尾根部）が残るように加工する。この工程では、斜面部１０４と斜面部１０６の交叉する部分で中心１００Ｃに近い部分に、六角形の一辺を構成する部分（いわゆる尾根部）が残るように加工する。
【００３５】
斜面部１１１が裏面１００Ｂと平行な平面に対してなす角度Ｄ１１１は１７度から３１度であるのが好ましい。角度Ｄ１１１は２０度であるのが特に好ましい。斜面部１１２が裏面１００Ｂと平行な平面に対してなす角度Ｄ１１２は１７度から３１度であるのが好ましい。角度Ｄ１１２は２０度であるのが特に好ましい。角度Ｄ１１１と角度Ｄ１１２は等しい角度であるのが特に好ましい。
【００３６】
次に、図２４〜図２６を参照する。図２５に示すように、直線Ｄ−Ｄ’で切断したときの断面図における斜面の角度が、中心１００Ｃに向かう方が高くなるように２つの外側の斜面部１１３、１１４を形成する。この工程では、斜面部１０３と斜面部１０５の交叉する部分で中心１００Ｃに近い部分に、六角形の一辺を構成する部分（いわゆる尾根部）が残るように加工する。この工程では、斜面部１０４と斜面部１０７の交叉する部分で中心１００Ｃに近い部分に、六角形の一辺を構成する部分（いわゆる尾根部）が残るように加工する。この工程によって、２つの六角形の斜面部１０３、１０４を形成することができる。第３の六角形斜面部１０３は、その１つの辺が、前記第１の六角形斜面部１０１の１つの辺と重なり、かつ、他の１つの辺が、前記第２の六角形斜面部１０２の１つの辺と重なるように構成される。また、第４の六角形斜面部１０４は、その１つの辺が、前記第１の六角形斜面部１０１の他の１つの辺と重なり、かつ、他の１つの辺が、前記第２の六角形斜面部１０２の他の１つの辺と重なるように構成される。以上説明したように、中央の斜面部１０１〜１０４は、それぞれの輪郭形状が六角形である４つの六角形斜面で構成される。或いは、中央斜面部１０１〜１０４は、それぞれの輪郭形状が六角形である２つの六角形斜面部と、輪郭形状が五角形である２つの五角形斜面部で構成することもできる。
【００３７】
斜面部１１３が裏面１００Ｂと平行な平面に対してなす角度Ｄ１１３は１７度から３１度であるのが好ましい。角度Ｄ１１３は２０度であるのが特に好ましい。斜面部１１４が裏面１００Ｂと平行な平面に対してなす角度Ｄ１１４は１７度から３１度であるのが好ましい。角度Ｄ１１４は２０度であるのが特に好ましい。角度Ｄ１１３と角度Ｄ１１４は等しい角度であるのが特に好ましい。
【００３８】
次に、図２７〜図３０を参照する。図２８に示すように、直線Ｆ−Ｆ’で切断したときの断面図における斜面の角度が、中心１００Ｃに向かう方が高くなるように２つの最外周の斜面部１１６、１１８を形成する。また、図２９に示すように、直線Ｅ−Ｅ’で切断したときの断面図における斜面の角度が、中心１００Ｃに向かう方が高くなるように２つの最外周の斜面部１１５、１１７を形成する。斜面部１１５が裏面１００Ｂと平行な平面に対してなす角度Ｄ１１５は１７度から３１度であるのが好ましい。角度Ｄ１１５は２０度であるのが特に好ましい。斜面部１１６が裏面１００Ｂと平行な平面に対してなす角度Ｄ１１６は１７度から３１度であるのが好ましい。角度Ｄ１１６は２０度であるのが特に好ましい。斜面部１１７が裏面１００Ｂと平行な平面に対してなす角度Ｄ１１７は１７度から３１度であるのが好ましい。角度Ｄ１１７は２０度であるのが特に好ましい。斜面部１１８が裏面１００Ｂと平行な平面に対してなす角度Ｄ１１８は１７度から３１度であるのが好ましい。角度Ｄ１１８は２０度であるのが特に好ましい。角度Ｄ１１５、角度Ｄ１１６、角度Ｄ１１７、角度Ｄ１１８は等しい角度であるのが特に好ましい。
【００３９】
或いは、最外周斜面部１１５〜１１８を形成しないように構成してもよい。外側斜面部１０５〜１１４の裏面１００Ｂに対してなす角度は、それぞれ、中央の斜面部１０１〜１０４の裏面１００Ｂに対してなす角度より大きくなるように構成される。このように構成することにより、腕時計を種々の方向から見たときにおいて、腕時計の中央部及び外側部の見え方に様々な変化をつけることができる。
【００４０】
上述した時計用カバーガラスの製造方法において、ガラス部材は、例えば、宝石加工と同じように、一面、一面、ダイヤモンドホイールでカットしてゆく方法で、荒摺り、中摺り、仕上げ摺りを施した後、それぞれのカット面（すなわち、上述したような斜面部）を研磨している。
【００４１】
さらに、上述した時計用カバーガラスの製造方法においては、カバーガラス１３０の表面に設けた複数の斜面部のうちの少なくとも一部に対応するように形成されたマーキングを、カバーガラス１３０の裏面に形成することができる。本発明の時計用カバーガラスの第２の実施の形態に関して上述したように、印刷、エッチング、金の蒸着、ロジウムの蒸着などの方法によって、カバーガラス１３０の裏面の部分に文字、図形、模様等を形成することができる。
【００４２】
或いは、本発明に係る時計用カバーガラスの他の製造方法の一例として、本発明に係る時計用カバーガラスは、アクリルなどの合成樹脂を原材料として用いて成形加工により製造することもできる。さらに、本発明に係る時計用カバーガラスは、硬質ガラスなどを原材料として用いて熱間プレス成形加工により製造することもできる。
【産業上の利用可能性】
【００４３】
本発明により、表側に複数の斜面部を形成した時計用カバーガラスを製造することができる。さらに、本発明により、表側に複数の面を形成し、かつ、裏面にマーキングを有する時計用カバーガラスを製造することができる。本発明は、腕時計だけでなく、置き時計、掛け時計、提げ時計などの各種の時計のカバーガラスに適用することができる。
【図面の簡単な説明】
【００４４】
【図１】本発明の時計用カバーガラスの第１の実施形態において、カバーガラスの表側を示す平面図である。
【図２】本発明の時計用カバーガラスの第１の実施形態において、カバーガラスの側面図である。
【図３】本発明の時計用カバーガラスの第２の実施形態において、カバーガラスの表側を示す平面図である。
【図４】本発明の時計用カバーガラスの第２の実施形態において、カバーガラスの側面図である。
【図５】本発明の時計用カバーガラスの第１の実施形態において、加工前のガラス部材を示す斜視図である。
【図６】本発明の時計用カバーガラスの第１の実施形態において、加工途中段階のガラス部材を示す上面図である。
【図７】本発明の時計用カバーガラスの第１の実施形態において、加工途中段階のガラス部材の図６における線Ｘ−Ｘ’において破断したときの輪郭形状を示す断面図である。
【図８】本発明の時計用カバーガラスの第１の実施形態において、加工途中段階のガラス部材の図６における形状を示す斜視図である。
【図９】本発明の時計用カバーガラスの第１の実施形態において、加工途中段階のガラス部材を示す上面図である。
【図１０】本発明の時計用カバーガラスの第１の実施形態において、加工途中段階のガラス部材の図９における線Ｘ−Ｘ’において破断したときの輪郭形状を示す側面図である。
【図１１】本発明の時計用カバーガラスの第１の実施形態において、加工途中段階のガラス部材の図９における線Ｙ−Ｙ’において破断したときの輪郭形状を示す断面図である。
【図１２】本発明の時計用カバーガラスの第１の実施形態において、加工途中段階のガラス部材の図９における形状を示す斜視図である。
【図１３】本発明の時計用カバーガラスの第１の実施形態において、加工途中段階のガラス部材を示す上面図である。
【図１４】本発明の時計用カバーガラスの第１の実施形態において、加工途中段階のガラス部材の図１３における形状を示す正面図である。
【図１５】本発明の時計用カバーガラスの第１の実施形態において、加工途中段階のガラス部材の図１３における線Ａ−Ａ’において破断したときの輪郭形状を示す断面図である。
【図１６】本発明の時計用カバーガラスの第１の実施形態において、加工途中段階のガラス部材の図１３における線Ｂ−Ｂ’において破断したときの輪郭形状を示す断面図である。
【図１７】本発明の時計用カバーガラスの第１の実施形態において、加工途中段階のガラス部材の図１３における形状を示す斜視図である。
【図１８】本発明の時計用カバーガラスの第１の実施形態において、加工途中段階のガラス部材を示す上面図である。
【図１９】本発明の時計用カバーガラスの第１の実施形態において、加工途中段階のガラス部材の図１８における形状を示す正面図である。
【図２０】本発明の時計用カバーガラスの第１の実施形態において、加工途中段階のガラス部材の図１８における形状を示す斜視図である。
【図２１】本発明の時計用カバーガラスの第１の実施形態において、加工途中段階のガラス部材を示す上面図である。
【図２２】本発明の時計用カバーガラスの第１の実施形態において、加工途中段階のガラス部材の図２１における線Ｃ−Ｃ’において破断したときの輪郭形状を示す断面図である。
【図２３】本発明の時計用カバーガラスの第１の実施形態において、加工途中段階のガラス部材の図２１における形状を示す斜視図である。
【図２４】本発明の時計用カバーガラスの第１の実施形態において、加工途中段階のガラス部材を示す上面図である。
【図２５】本発明の時計用カバーガラスの第１の実施形態において、加工途中段階のガラス部材の図２４における線Ｄ−Ｄ’において破断したときの輪郭形状を示す断面図である。
【図２６】本発明の時計用カバーガラスの第１の実施形態において、加工途中段階のガラス部材の図２４における形状を示す斜視図である。
【図２７】本発明の時計用カバーガラスの第１の実施形態において、加工途中段階のガラス部材を示す上面図である。
【図２８】本発明の時計用カバーガラスの第１の実施形態において、加工途中段階のガラス部材の図２７における線Ｆ−Ｆ’において破断したときの輪郭形状を示す断面図である。
【図２９】本発明の時計用カバーガラスの第１の実施形態において、加工途中段階のガラス部材の図２７における線Ｅ−Ｅ’において破断したときの輪郭形状を示す断面図である。
【図３０】本発明の時計用カバーガラスの第１の実施形態において、加工途中段階のガラス部材の図２７における形状を示す斜視図である。
【符号の説明】
【００４５】
１００    ガラス部材
１００Ｂ  裏面
１００Ｓ  側面
１００Ｔ  表面
１３０  カバーガラス
１０１〜１１８  斜面部
２０１〜２１８  斜面部
２３０    カバーガラス
２３０Ｂ  裏面
【図１】
2007010506.tif 000003
【図２】
2007010506.tif 000004
【図３】
2007010506.tif 000005
【図４】
2007010506.tif 000006
【図５】
2007010506.tif 000007
【図６】
2007010506.tif 000008
【図７】
2007010506.tif 000009
【図８】
2007010506.tif 000010
【図９】
2007010506.tif 000011
【図１０】
2007010506.tif 000012
【図１１】
2007010506.tif 000013
【図１２】
2007010506.tif 000014
【図１３】
2007010506.tif 000015
【図１４】
2007010506.tif 000016
【図１５】
2007010506.tif 000017
【図１６】
2007010506.tif 000018
【図１７】
2007010506.tif 000019
【図１８】
2007010506.tif 000020
【図１９】
2007010506.tif 000021
【図２０】
2007010506.tif 000022
【図２１】
2007010506.tif 000023
【図２２】
2007010506.tif 000024
【図２３】
2007010506.tif 000025
【図２４】
2007010506.tif 000026
【図２５】
2007010506.tif 000027
【図２６】
2007010506.tif 000028
【図２７】
2007010506.tif 000029
【図２８】
2007010506.tif 000030
【図２９】
2007010506.tif 000031
【図３０】
2007010506.tif 000032